(57)【要約】【課題】近年、降雪する雪が降る時は大量に降り積もり、期間を置いて暖気となり屋根の雪降ろし作業をした翌日から晴天気が続き除雪しなくとも雪が溶けたであろうと思われる日が有る。本発明は、積雪した屋根の雪を全て綺麗に除雪するのではなく、雪の重さに耐えるであろうと思われる程度の屋根の除雪を行うもので、残雪となった雪を自然に融雪する除雪雪降ろしの施工方法である。【解決手段】  軒先から雪切り取り器を屋根頂上に引く、押し等での除雪方法で、本発明の雪切り取り器を用い屋根軒先から屋根表面の雪を剥離掘削し、溝を掘るように除雪した雪降ろしの除雪施工方法である。【選択図】図１０
2015178704.tif 000002
【特許請求の範囲】
【請求項１】
屋根の積雪した雪切り取り器と切り取りされた雪を受け取る受け部から成る除雪スノーシュート。
【請求項２】
雪の切り取り器の先端切削刃を加熱する発熱部材を設けた事を特徴とする請求項１除雪スノーシュート。
【請求項３】
雪の切り取り器の先端切削刃を振動する為の振動部材を設けた事を特徴とする請求項１除雪スノーシュート。
【請求項４】
雪の切り取り器の先端に設けた雪を砕く回転破砕刃とした事を特徴とする請求項１除雪スノーシュート。
【請求項５】
雪を受け取る受け部を雪の切り取り器後部に着脱できるシート部材とした事を特徴とする請求項２の除雪スノ―シュート。
【請求項６】
雪を受け取るシート裏面に滑り止め部材を設けた事を特徴とする請求項２の除雪スノーシュート。
【発明の詳細な説明】
【技術分野】
【０００１】
本発明は、屋根に積雪した雪を除雪する際に用いられる除雪器具に関するものである。
【背景技術】
【０００２】
近年、異常気象の影響による降雪量が、極端に多くなったり溶けたりの繰り返しで屋根に積もった雪降ろしを頻繁に行わなければならなくなってきている。
【０００３】
高齢化が進み、雪降ろし作業者にとっては大変な、重労働になってきている。
【０００４】
又、除雪回数が多くなるに連れ、高齢者の除雪作業中の事故も増えている。
【０００５】
除雪が出来ない高齢者宅では、除雪業者に委託し雪降ろしを依頼しているが、雪降ろし作業にかかる時間、専門とする人の数が少なく、除雪依頼に応えきれないでいるのが現実である。
【０００６】
例年には、無いどか雪が降りこの傾向が近年定着してきている。
【０００７】
毎年、慢性化した除雪作業員の不足の為、除雪できず家屋の倒壊等が多発している。
【先行技術文献】
【特許文献】
【０００８】
【特許文献１】特開2001-295439
【特許文献２】特開2013-147924
【特許文献３】特開2012-136931
【発明の開示】
【発明が解決しようとする課題】
【０００９】
年々多く降る屋根の雪降ろしの作業の効率を高める事にある。
【００１０】
従来はスコップ、スノーダンプ等を用い屋根の上での除雪作業していた。
【００１１】
除雪作業手順としては、積雪した屋根頂上から軒先下に向けて掘削した雪を投雪をして作業を行う事が正しい作業手順である。
【００１２】
スコップで積雪した雪を切り取り漉き取り投雪しているが、不安定な足場、場所での腰を曲げての作業となり大変な重労働となっていた。
【００１３】
又、スノーダンプを用い積雪した雪を漉き取下部にスノーダンプを回転させ軒下に滑らせ投雪している。
【００１４】
これらの作業方法は、短時間作業は良いが、長時間の作業となると大変な重労働となっている。
【００１５】
疲労がたまり、うっかりして等で作業中に滑落事故が多く、ケガ、死亡事故につながっていた。
【００１６】
危険であるが、仕事の軽減を図り、積雪した屋根軒先下端から上部頂上に向かって除雪する事で、掘削した雪を除雪された屋根表面を滑らせて作業が出来る事で投雪作業が軽減される作業方法もあるが。
【００１７】
ただ屋根軒先から除雪を行うと、屋根上部の積雪した雪が緩み一度に上部の雪が落下する場合が頻繁に有る。
【００１８】
タイミング良く逃げる事が出来ると屋根からの転落を避ける事が出来るが、たいていは、雪と一緒に軒下に転落し雪の下になり雪に埋もれケガ、死亡事故が毎年発生する。
【００１９】
この為、屋根の雪下ろし作業は、絶対に一人では行わない事と言われている。
【００２０】
転落防止の為に命綱を体にくくり付けて、ヘルメットをかぶり必ず作業をするように言われているが、毎年屋根からの転落事故の為、死亡ケガ人が多く発生している。
【００２１】
この為、屋根頂上から安全に気を配り軒下に向かって雪降ろし作業を行うように言われている。
【００２２】
屋根頂上から下に向けての除雪では、除雪中万がいつ雪と一緒に転落しても滑落した雪の上に落ちる為、雪に埋もれる事が少ない。
【００２３】
上部から積雪した雪を軒下に滑らせる、波型塩ビ板をＵ字型に曲げたシュートと言うのが有るがシュートに投雪の際、雪面から滑り落ちやすく、固定するのに手数を必要としている。
【００２４】
波型塩ビ板長尺物を使用したシュートを、足場の悪い屋根の上で位置を変えながらの作業は、大変な作業であった。
【００２５】
この為、軽く持ち運びが容易で簡単に設置が出来き、除雪作業を軽減し、雪を滑らせ軒下に投雪が出来るシュートが求められていた。
【００２６】
近年の降雪する雪は、降る時に一度に大量に降り、又しばらく暖気が続き雪融けが進み期間を置いて又一度に多く降ると言う傾向にある。
【００２７】
せっかく屋根の雪下ろしが終わって安心したら、翌日から天気が良くなり暖気が続き急いで雪降ろしをしなくとも自然に融けたと思われる日が有る。
【００２８】
屋根の積もった雪を綺麗に全て除雪せずに、屋根の雪を均等に割、部分的に屋根が雪の重さに耐える程度に除雪する方が効果的である。
【００２９】
留意点として、屋根に残された雪が屋根自体に均等に雪の重さになるように、除雪を行う事が求められる。
【課題を解決するための手段】
【００３０】
本発明の除雪スノーシュートは積雪した雪を切り取り器で切り取り、切り取とられた雪をシュート部材のシート上で滑らせ軒下に落下させ除雪するもので有る。
【００３１】
この為、雪を切り取りすると同時に雪が独りでに、軒下に滑り滑落するようにしたもので、屋根軒先から上屋根頂上に向かい積雪した雪を切り取りながら除雪作業をすると除雪完了後、屋根の上に軒下から屋根頂上に向かい除雪された溝が出来る。
【００３２】
上記記述したように、屋根に積雪した雪の量、重さを考慮し適度の間隔をおいて除雪し、屋根に溝を掘った雪降ろしが出来る。
【００３３】
屋根の除雪された箇所が溝となって屋根の表面が現れる事で、積雪した雪に空気が触れるが面が多くなり雪融けが早く進む。
【００３４】
又、屋根表面が現れた溝となっている為、太陽光を浴びて屋根自体が熱をおび更に早く雪解け進む。
【００３５】
晴天が続きそうな予報が出た場合、溶けそうと思われる程度の雪を残す事で、無駄になるような雪降ろしの除雪をしなくとも良くなる。
【発明の効果】
【００３６】
屋根全体を除雪せずに、雪の重みに耐えられる程度に残雪とする事に、本発明の除雪スノーシュートを用いると、均等に屋根に除雪掘削溝を設ける事が出来、部分的に、残雪となった雪をより早く自然に雪融けさせる事で、除雪時間除雪費の軽減につながる。
【００３７】
雪を切り取る作業は切り取り器を、軒先から上へ引くだけ、押すだけの為、腰の曲げての作業と違い体に加わる負担が非常に少ない。
【００３８】
切り取り器自体が幅４０センチ高さ２５センチ奥行き３０センチと小さくスノーダンプ等の四分の一ほどの重さで、極めて軽い、操作し易く高齢の方、体力の無い女性の方でも簡単に雪を切り取り軒下に滑らせ雪降ろしが出来る利点が有る。
【発明を実施するための最良の形態】
【００３９】
本発明の雪切り取り器を屋根軒先付け根の雪に差込み、切り取り器を屋根上に向かい引きながら又は、押しながら雪を切り取りし滑らせ作業をする。
【００４０】
気温が低く雪質が硬く締まった雪質で、雪切り取り器を強く引っ張っても押しても雪が切れず切り取り器が重い場合は、先端切削刃内に発熱部材を内蔵した発熱体を作動させ刃先で雪を溶かしながら切り取り作業をする。
【００４１】
気温が低く雪質が硬く締まった雪質で、雪切り取り器を強く引っ張っても押しても雪が切れず重い場合は、切り取り器内に設けている振動部を起動させ、刃を振動させ雪の切削力をたかめ作業をする。
【００４２】
雪質が硬く締まった雪質で、雪切り取り器を強く引っ張っても押しても雪が切れず重い場合は、本発明の雪切り取り器先端に設けた雪を砕く回転破砕刃を用いた雪取り器で作業する。
【００４３】
気温が緩み、雪質が軟く雪切り取り器が雪に食い込みやすく、作業が比較的容易な場合は、上記した部材等を起動させず作業をする。
【００４４】
気温が緩み、屋根の雪質が軟く屋根自体から比較的簡単に雪を切り取る事が出来、綺麗に除雪され屋根表面が現れる場合は、切り取られた雪が屋根から滑り落ちる為、雪を受け取り滑らすシート符号１０を雪切り取り器後部に用いなくとも良い。
【００４５】
積雪した雪を切り取りするが気温が低く、屋根表面より雪を綺麗に除雪が出来ず、切り取られた雪が屋根自体から滑り落ちが出来ない場合は、本発明の雪を受け取るシート符号１０参考図１７を、切り取り器後部に取り付けしシートの
上を切り取りされた雪を滑らせて作業を行う。
【００４６】
雪切り取り器後部に取り付けした雪を受け取り滑らすシートの長さは約４メートル程で、屋根中腹まで雪の切り取り作業をした後、一端切り取り作業を中断する。
【００４７】
切り取り器後部に取り付けしている雪を受けるシートを取り外し、この取り外したシートを掘削されて出来た除雪溝に、かぶせ設置し雪を滑らすシュートとして活用する。
【００４８】
設置後、切り取り器後部に新規の雪受け取りシートを再度取り付けして、除雪掘削溝上部から再度切り取り作業を屋根上部に向かって、切り取り器を引きながら除雪雪降ろし作業を行う事で屋根頂上まで除雪溝が出来る。
【００４９】
屋根に積もった積雪量を考慮し、屋根が雪の重みで耐えられるであろうと思われる範囲に、均等な除雪掘削溝を設けた除雪された屋根となるように施工する。
【実施例１】
【００５０】
実施例１では、屋根に積雪した雪が暖気の為、緩んでいる状態での作業実施例を挙げて説明する。
【００５１】
本発明の、雪切り取り器符号２を積雪している屋根軒先、先端に差し込み雪を漉き取るようにし切り取り器を上部に引く。
【００５２】
切り取り器を先端の刃符号5を屋根表面に接するように差し込む。
【００５３】
雪を３０センチ~４０センチ程屋根表面からの頂上に向かい引き雪を漉き取るようにハンドル符号1引き、ハンドルを上下に動かす。
【００５４】
上下にハンドルを動かすことで切り取られた雪が壊れ、雪魂となって軒下に滑り落ちる。
【００５５】
切り取り器を操作するハンドルが長い為、切り取り器先端、切り取り器後部がてこの支点となって、軽い力で鋤取りされた雪を浮かすことが出来、切り取られた雪が壊れ雪魂となって軒下に滑り落ちて行く実施例図９〜１０。
【００５６】
屋根上部に向かいこの作業を繰り返しながら除雪雪降ろしをする。
【００５７】
屋根表面から雪を鋤取りする事で、切り取りされた雪魂を屋根表面を滑らせ雪降ろしを行う。
【００５８】
暖気で緩んでいる積雪した雪に使用する雪切り取り器の大きさは、幅４０センチ高さ３０センチ奥行３０センチハンドル符号1の長さ１．４メートル、切り取り器の重さ約2.5キロの物を用いる。
【００５９】
切り取り器が軽くハンドルの長さが１．４メートルと長い為、屋根軒先先端まで降りての作業をする事が無く滑落の危険性が少なく安心して作業が出来る。
【００６０】
雪切り取り器を構成している部材の材質は、切り取り器符号２の本体は、一体成型されたポリーカボネイト樹脂で、切り取り器先端に設けている刃符号5は、ステンレスの鋭利な刃を用い、ハンドルは軽量アルミ合金のパイプ使用、ハンドルが伸縮するパイプとなっている。
【００６１】
雪切り取り器を操作するハンドルは、使用する人の好みの高さに調整固定でき
る調整板符号3と角度調整固定蝶ボルト4を設けている。
【００６２】
この為、積雪量の多さで変わる切り取り器の雪に差込角度、使用する人の背の大きさに合わせ、切り取り器を好みの高さ角度で固定でき無理なく引くことが出来為、腰を曲げての作業から解放される。
【００６３】
切り取り器が引かれ雪に接して抵抗が加わる部分に鋭利な刃符号5が設けて有る為、雪が切り取られる事になり容易に引くことが出来る参考図9.10。
【００６４】
屋根に積もった高さが60センチ前後の雪降ろし作業に適しているが、６０センチ以上に積雪した雪降ろしの場合は、切り取り器後部に雪受け取りシート符号10を取付し、一端深さ４０センチ程度で雪を切り鋤取りしシート上を滑らせ軒下に落下させて作業する参考図15.16.17。
【００６５】
その後、残雪となった厚さ２０センチ程残った雪を屋根表面に切り取り器の刃を当て切り取り漉き取除雪する。
【００６６】
雪を受け取るシート符号１０は、雪切り取り器後部に脱着部材符号１７で取り付けて使用する。
【００６７】
雪を受け取るシートの材質は、寒冷時でも軟弱性を有する材質の物を用い、シート表面に雪が載った場合滑り易い材質の物を用いる。
【００６８】
本発明では、0,１mm〜０,１５mm厚のビニールシートを用いて雪滑らせるシートとしている。
【００６９】
ビニールシート上部先端裏面に脱着部材符号１７を設け、雪切り取り器後部に取り付けして使用出来るようにしている。
【００７０】
着脱部材は、面ファスナー等を用いて、切り取り器に取り付けしている。
【００７１】
さらにビニールシート上部裏面に幅２０センチ厚さ0，５センチの帯状の滑り止め部材を貼り付けしている。
【００７２】
貼り付けしている滑り止め部材は、ビニールシートを単体で雪を滑らすシュートとして使用する際、ビニールシートが屋根より滑り落ちるのを防止する為に設けたものである参考図１７。
【００７３】
ビニールシート裏面に用いている本発明の請求項5〜6記載の滑り止め部材符号１０材質は、不織布を用いている。
【００７４】
不折布の材質は、比較的安価で、入手しやすく切り取り加工貼り付けが容易な、フェルト生地を用いている。
【００７５】
フェルト生地の特性は、雪に接し適度の押さえつけすると、雪の表面の水分が毛細管現象を起こしやすく水分が拡散蒸発する際、雪がフェルト表面に絡み付き摩擦となり滑り止め効果が得られる。
【００７６】
本発明請求項6に記載の滑り止め部材として明記している。
【００７７】
滑り止め部材材質は、上記した効果が有るものであれば、どの様な材質の物を用いても良い。
【００７８】
本発明の雪を受け取るシートの長さは約４メートル程で有る。
【００７９】
この長さを切り取りした雪魂を受け取るシートとして用い、雪を受け取り滑らせるシュートと用として兼用して用いているが、長さが約３〜４メートル前後が作業するのに最も適している。
【００８０】
長くなっても取り扱い、設置作業等に支障が出てくる。
【００８１】
又、あまりシートが短くても、設置の手数を必要となる。
【００８２】
屋根面積が大きい場合、軒先から屋根頂上までの長さが約１０メートル程有る屋根の雪降ろしの場合は、４メートル程除雪し、切り取り器後部から雪を受け取るシートを切り離しして、このシートを、シュートとして掘削さされた溝に設置し活用する。
【００８３】
切り取り器後部に新規の雪受け取るシート符号１０を取り付けして、雪切り取り一連の作業をする。
【００８４】
屋根の長さが１０メートル程の場合は、さらに下部シュートに雪受け取りシートを重ね、シュートとして活用する。
【００８５】
切り取りされた雪溝に雪受け取りシートを設置する事で、シートが溝を覆う形となりシート裏面の滑り止め部材が溝周囲の雪に密着し固定され、雪を滑らすシュートとなる。
【００８６】
一連の作業で出来た溝がビニールシートを被せたシュートとなり、屋根頂上付近の雪を切り取りした雪魂がビニールシュートの上を滑走させ軒下に投雪できる。
【００８７】
上記したように屋根軒先から屋根頂上に向けて切り取り器を引くだけで、容易に切り取りされた雪溝となった溝をシュートとして活用した除雪された屋根が出来る。
【００８８】
この一連の除雪作業で出来る溝が空気の通となり残雪とした屋根の雪をより早く融雪するが出来る。
【００８９】
一部表面が剥き出た屋根となる為、直射日光を浴びた屋根表面が熱を浴び残雪となった雪をより早く融雪する。
【００９０】
長期の天気予報を参考に再び降雪が有る期間を考慮し降雪時までに残雪とした雪が解ける程度を見込んだ部分除雪を行う。
【００９１】
積雪した雪が暖気の為緩んだ状態の雪降ろし作業に付いて記載したが、切り取り器が雪に接する面に設けている刃は、通常のステンレス鋼を鋭利な刃として使用しているが、実施例２以降では、硬い雪、凍り付いた雪、気温の低い寒い日等での雪降ろし作業で、必要となる切り取り器の刃に関して述べる。
【実施例２】
【００９２】
気温が上がり、お天気の良い環境での作業と違い、寒く降雪中の雪降をする中で効率良く雪降ろし作業をする為の、本発明の雪切り取り器の使用説明をする。
【００９３】
気温が低く、降雪する日の雪質は、降雪中の雪そのものは軽く締まっていない
雪質の為、切り取り器の操作は比較的容易であるが、屋根に積雪した下層部、屋根表面の積もった雪が硬く凍り付いた雪質となっている。
【００９４】
この為、実施例１での用いた雪切り取り器に用いた刃では、凍り付いた雪の層に食い込みする事が困難で有った。
【００９５】
力任せに切り取り器を凍り付いた雪質に食い込ませながらの作業では、無理な力と、無駄な労力を必要とし作業効率が悪いものとなっている。
【００９６】
この無理な労力を解消する為、請求項２，３に記載した雪の切り取り器の先端切削刃内に発熱部材を内蔵した刃、雪の切り取り器の先端切削刃を振動しながら使用する切り取り器の刃等を用い使用する事を記載する。
【００９７】
実施例２では、切削刃内に発熱部材を内蔵した刃について記載する。
【００９８】
板状のセラミックヒーターをステンレス鋼にサンドイッチ状に重ね用いた刃である。
【００９９】
刃先は、鋭利な鋸状の形とする事で刃先先端に熱が集中し凍り付いた雪を溶かしながら食い込みが出来る。
【０１００】
気温が極端に低い場合等を考慮し、ヒーター発熱部を高温低温等に切り替えが出来るように切り替えスイッチをハンドル手元に設ける。
【０１０１】
雪切り取り器の雪切り取り接する面に鋸状の鋭利な刃を設けた図１８符号６
である。
【０１０２】
積雪した下層屋根表面の切り取り器の接する雪を溶かし、刃を食い込ませ、ハンドルを引きながら雪を切り漉き取をする。
【０１０３】
積雪した雪に切り取り器を食い込ませ、ハンドルを上下に動かしながら引く事により、てこの作用で切り取られた雪が持ち上げられ壊れ雪魂となって軒下に滑り除雪が出来る。
【０１０４】
雪切り取り器先端周囲に設けた鋭利な刃は、鋸状の形としているが、凍り付いた雪に融雪しながら食い込む鋭利な刃で有れば、円錐形の尖った部材、板状の尖った部材を爪として用いても良い。
【０１０５】
又、内蔵されている発熱体の発熱量が多く、雪切り取る面が簡単に融け比較的容易に切り取り器が凍り付いた雪に食い込みが出来る場合は、図２,３,４,５等の符号５等の刃のような平らな刃に発熱体が内蔵されたものを用いても良い。
【０１０６】
切り取り器一端に設けている刃を、発熱し雪を溶かす刃の切り取り器に換えると切り取り器を引く際、硬い雪の場合は雪が抵抗となって引く力が強く加えなければ漉き取り引く事が出来なかったが、雪に接する面が瞬時に雪を融す為、簡単に雪を切り取りが出来、軽い力で雪の漉き取作業が出来る。
【０１０７】
従来、寒気の強い日の屋根の雪降ろし作業は、表面の雪は比較的柔らかく、下層の雪が硬くスコップ等での雪の掘削切り取りは強い力を必要とし、足場の悪い環境での仕事の為、足腰に過度の負担が掛かっていた。
【０１０８】
本発明の雪切り取り器を用いると上記記述した、作業中の足腰の負担の軽減ができ除雪作業が早い。
【０１０９】
発熱体を用いた切り取り器で有るが、セラミックヒーターと同じ効果が得られるもので、ニクロム線等の発熱材を活用しても良い。
【０１１０】
又、切り取り器先端が発熱する装置、部材等を用い切り取り器が接する先端の雪を溶かす事の出来る物を切り取り器に取り付けして活用しても良い。
【実施例３】
【０１１１】
実施例３では、硬い雪に切り取り器が食い込みやすくする為、刃に震動を加え雪を切削する実施例を記載する。
【０１１２】
図６、７、１９をもとに説明する。
【０１１３】
切り取り器符号２内に震動発生装置符号８を設け、切り取り器先端刃、雪に接する面に振動切削刃符号７、鋸状の震動刃符号１２を設け、刃に振動を加え雪を削りながら切り取り器を雪に食い込ませる。
【０１１４】
切り取り器が雪に食い込み適度に差込が出来たら、ハンドル符号１を上下に引きながら動かし雪を持ち上げ、漉き取された雪を壊し雪魂として符号１０の雪を受け取るシート上を滑らし除雪するものである。
【０１１５】
振動装置符号８は、刃先端に震動を加える為に切り取り器内一端に設けている参考図１９。
【０１１６】
雪を効率良く削るように振動装置を切り取り器内に設けるが、切り取り器が雪と接する面が長く、より震動が刃に伝わりやすくする為、下部先端振動切削刃符号１２と切り取り器側面上部先端振動切削刃符号７に別々に震動を伝えるようにするのも良い。
【０１１７】
本発明の振動機は、圧縮空気を用いた振動装置の実施例と低周波、超音波等を用いた振動装置の実施例が有る。
【０１１８】
圧縮空気を用いた振動装置としてボールバイブレータを切り取り器内に設けている。
【０１１９】
ボールバイブレータを切り取り器内で切削刃に近い場所に装置を設置する。
【０１２０】
圧縮された空気を送るホースは、ハンドルに沿ってバイブレータに取り付けする。
【０１２１】
先端刃に震動を加える事の出来るものであれば、家庭用電源を用いた振動措置を活用しても良い。
【０１２２】
家庭用電源を用いて震動出来るバイブレータを刃先に取り付けしても良い。
【０１２３】
切り取り器先端両側に、締め固め用に用いるコンクリート用１００ボルト電源使用のバイブレーターを改良転用し、取り付けして切り取り器に震動を加えるようにして活用しても良い。
【０１２４】
切り取り器内に超音波発生装置を設け刃先に震動を加え切削刃として、雪を切り取りする。
【０１２５】
超音波発生装置をハンドル内一端に設けても良い。
【０１２６】
上記した振動装置は、凍り付いた雪に刃先が適度に食い込みが出来る程度の性能が有れば良い、後はハンドルンを上下に動かし事で、凍り付いた雪をてこの作用で比較的簡単に壊す事が出来る。
【０１２７】
切り取り器内の先端に取り付けしている刃を発熱体内臓刃とし、この刃に震動を加えて使用しても良い。
【実施例４】
【０１２８】
切り取り器先端に、設けた雪を砕く回転破砕刃であるロータリー刃を用い雪を砕きながら砕いた雪を滑らす。
【０１２９】
回転するロータリー刃起動部は、家庭用１００ボルトで回る事の出来るモーターを切り取り器内に設けて使用する。
【０１３０】
回転するロータリー刃起動部は、家庭用１００ボルト、２００ボルト電源で使用出来るコンプレッサーの圧縮されたエアーモーターを起動部として用いても良い。
【０１３１】
回転するロータリー刃起動部は草刈り機等に使用している、小型エンジンを用いても良い。
【０１３２】
上記記述した積もった雪の層を回転し破壊する、破砕刃はロータリー刃としているが、雪を砕く事が出来る切削刃を回転する円盤状の物、円錐形のオーガ、耕運機の爪等、雪を砕いて下部雪取りシートに載せる事の出来るものであればどの様な物を用いても良い。
【実施例５】
【０１３３】
実施例５では、切り取り器後部に取り付け脱着可能な雪を受け取るシート符号１０に付いて記載する。
【０１３４】
実施例１でも一部述べているが、材質は厚手のビニールシートを用いているが必ずしもビニールシートでなくても、同等の雪を滑らす事の出来る材質で有ればどの様なものを用いても良い。
【０１３５】
一般に広く保温養生材として用いられている、プラダン上部裏面に脱着部材を設けて使用しても良い。
【０１３６】
又、プラダン裏面に帯状の滑り止め部材符号１０を設ける。
【０１３７】
プラダンの特性は、プラスチックシート両面に間に挟まれた縦に空洞となった部材の為、横には折れにくいが、縦には簡単に折れる構造上の性質が有る。
【０１３８】
本発明の雪を受け取りシートを雪を滑らすシュートとして活用する場合、この縦に折れる方が、折り溝が出来やすく使用上都合が良い。
【０１３９】
プラダン寸法が厚さ０、６ミリ横１００センチ縦２００センチ、本発明の雪切り取り器で切り取られて出来る掘削溝に、プラダンを縦に折り曲げ事で溝幅に合ったシュートとして簡単に設置出来る利点が有る。
【０１４０】
縦に折り曲げたプラダンが平らに元のように戻るとする力が、裏面の滑り止めマットを雪に押し付け、プラダンが溝両側の雪面に密着しやすく、雪を受け取るシュートとして活用するに最適である又、雨樋などを壊すことなく使用できる利点がある。
【０１４１】
上記使用するプラダンの重さが極めて軽い為、持ち運び取り扱いが容易な点も有る。
【０１４２】
持ち運び取り扱いが容易で、雪を受けるシュートとして重ね合わせ部に接続が部材を設け、継ぎ足し長くする事で屋根頂上周辺まで使える軽いシュートが出来る。
【０１４３】
プラダンを用いた雪受け取るシート、雪を滑らすシュートとして活用する事を記載したが、波塩ビ板をプラダンの替わりに用いても良い。
【０１４４】
又は、強度のようする場合は、カ―ボネイト樹脂板を用いても良い。
【０１４５】
これらを雪を受け取るシート、雪を滑らすシュートとして使用するが、設置した際、屋根から滑り落ちるのを防止する為のマット部材は、本発明では不織布である厚さ５ミリから１０ミリのフェルト生地を幅２０センチ程の帯状にしたものを裏面に貼り付けして用いている。
【０１４６】
滑り止め部材の不織布は、フェルト生地を用いているが、フェルト生地の特性は、雪に接し適度の押さえつけすると、雪の表面の水分が毛細管現象を起こし、この為水分が拡散蒸発する際雪の結晶がフェルト表面に絡み付き摩擦となり滑り止め効果が得られる。
【０１４７】
滑り止め部材の表面に雪が絡み付き滑り止め効果がある不織化学繊維、紙パルプ等を用いても良い。
【０１４８】
市販されている湧水処理浸透マット等を滑り止め部材として活用しても良い。
【０１４９】
雪を受け取るシート部材上端に切り取り器後部に取り付けする脱着部材は、ハト目穴を設けて切り取り器に引っかけて取り付け出来るようにしても良い。
【０１５０】
雪を受け取るシート部材上端に切り取り器後部に挟み込み固定出来る部材としても良い。
【０１５１】
雪を受け取るシート部材は、板状の部材で、柔軟性を有する材質を用いて、掘削除雪溝に設置シュートとしても活用するものであるが、最初から角溝シュート、又は半円形のシュート、円筒形のシュート等、軽く一体成型加工されたプラスチックで出来た物を活用しても良い、ただ裏面に滑り止め部材を必ず設ける事としてこれらが屋根から滑り落ちるのを防止する。
【０１５２】
又、雪受け取りシート幅２メートル長さ４メートルのビニールシート裏面に上記記載した滑り止め部材を適度の間隔で貼り付けして、屋根積雪面上に軒下に向けて広げ、このシートにスコップ、スノーダンプ等で切り取り掘削した雪魂を投雪し雪を軒下に滑らせるシートとして活用しても良い。
【０１５３】
必ずしも、シート幅は上記に記載した幅にこだわらず、幅４メートル長さ６メートル等とし必要に応じた大きさのものを用いても良い。
【０１５４】
上記記載したように、本発明の雪を受け取り滑らすシート裏面に滑り止め部材を設ける事で、シートが滑り落ちが無い為、簡単な広い面積に設置出来る雪を滑らすシュートとしても用いられる。
【実施例６】
【０１５５】
実施例５までは、本発明の雪切り取り器のハンドルを引いての除雪作業手順について説明したが、実施例６は、雪切り取り器のハンドルを押して切り取りする除雪作業を記載する。
【０１５６】
本発明の、雪切り取り器のハンドルを切り取り器に反対側倒し取り付けする。
【０１５７】
反対にハンドルを取り付けすると、押し事で雪を切り取る事が出来る図２０，２１，２２である。
【０１５８】
図２３、２４は、屋根に登らずに屋根の雪下ろしをする為、軒下に作業用の足場を設け、足場の上で雪降ろし作業する状況斜視図である。
【０１５９】
軒下の足場での作業の為、転落等の危険が少ない。
【０１６０】
本発明の雪切り取り器の刃の部分を屋根軒先にあてがい、切り取り器を屋根表面に沿って押し込む。
【０１６１】
一回の押し切りする長さは30センチから４０センチ程押し込んだら、ハンドルを上下に動かし屋根表面から切り取りした雪を浮かし雪を剥ぎ取るようにして雪を壊し、雪魂として下部雪受けとりシート上を滑らせ除雪する。
【０１６２】
上記作業を繰り返しながら雪降ろしをする。
【０１６３】
図２４は、屋根の雪が切り取られ壊れ雪魂となって、雪受け取るシート上を滑
り、足場側に滑り落ちる図２３である。
【実施例７】
【０１６４】
実施例７、８以降は積雪した雪の量が多く締まった雪質で寒気の為、軒先に氷柱となって堆積した屋根表面の層の雪が凍ってカチカチの雪質の雪を切り取る本発明の請求項２，３に記載している雪を発熱部材、振動部材で切り取る作業を述べる。
【０１６５】
降雪中の雪降ろしの作業では、雪が柔らかく、ふわふわした雪質で、本発明の雪切り取り器先端に鋭利の刃を設けた物で、比較的容易に雪を切り取り除雪雪降ろし作業が出来るが、現実には降雪後雪降ろしの作業を行っている。
【０１６６】
この為、どうしても雪が締まり重く屋根表面の積雪した層は、凍り付いた硬い雪質の層となっている。
【０１６７】
本発明は、この硬く凍り付いた雪を切り取る為に、本発明の請求項２，３に記載している融雪部材装置、凍り付いた雪に刃が食い込みを容易にする為、鋭利な刃に震動を加えて食い込みが容易にする為の振動部材装置が必要となる。
【０１６８】
又、硬く凍り付いた雪を砕く回転刃を有する市販家庭用小型電動除雪機を活用しても良い。
【０１６９】
実施例７は、積雪した雪が硬く切り取り器の刃が食い込まない雪質の為、本発明の雪切り取り器の先端に家庭用小型除雪機を設け切削刃を回転し雪を切削る況斜視図２５である。
【０１７０】
刃を回転させるモーター部は家庭用電源１００ボルト使用のモーターを用いたロータリー式の回転刃である。
【０１７１】
市販されている安価な家庭用小型電動除雪機が、本発明の雪切り取り器とほぼ同じ大きさで軽く容易に先端に取り付け出来る為、これらを用い活用しても良い。
【０１７２】
積雪している屋根表面の硬い雪を回転する刃で砕いて雪を受け取るシート上から軒下に滑らせ除雪を行う作業状況図である。
【０１７３】
作業足場から軒先に除雪機付き雪切り取り器を載せ屋根上部方向にハンドルを支えながら押上、雪を砕き雪降ろし作業を行う。
【０１７４】
雪切り取り器のハンドルを継ぎ足し可能で伸縮するパイプとし、軒下に除雪用足場を設け、足場の上で、軒下から、屋根頂上部に向けて除雪するものである。
【実施例８】
【０１７５】
実施例７では公知の除雪機に使用している回転するロータリーの刃、装置除雪機を活用した物であるが、実施例８では、軒先から積もった雪を破砕しながら屋根上部頂上に雪を受け取るシートを引っ張りながら自走が出来る本発明の請求項４記載の破砕刃を用いた雪取り器の説明をする。
【０１７６】
図２９は、箱型雪切り取り器内に雪を砕く回転破砕刃と自走の為の雪かき          部材符号２８を設けた全体斜視図。
【０１７７】
図２９雪かき部材符号２８は雪を砕く回転破砕刃シャフト符号２７内に設けた物で、シャフトが回り回転破砕刃が雪を砕き同時に雪かきしながら前に自走するように設けた部材である。
【０１７８】
符号２８の雪かき部材を設ける事で、箱型雪切り取り器を軒先から上部頂上に手で押し上げる力が少なくて済む。
【０１７９】
砕かれた雪が雪受けてシート符号１０上に集まるようにした箱型雪切り取り器符号２４で有る。
【０１８０】
図２９のようにハンドル符号２３を雪切り取り器に取り付けして軒先から屋根頂上に向け押し上げて作業をするが、符号２３のハンドルを前方に倒し事が出来る為、屋根上で軒先から雪切り取り器を引きながら、作業もできるハンドルである。
【０１８１】
雪を砕く回転破砕刃シャフトを回すモーターは家庭用電源を用いているが、小型ガソリンエンジンを用いても良い。
【０１８２】
図３０は、硬く凍り付いた雪の層に食い込み、雪を壊しながら自走出来る箱型雪切り取り器内に電動オーガを設けた全体斜視図である。
【０１８３】
符号２９の電動オーガ２機並列に箱型雪切り取り器内に設ける。
【０１８４】
並列に設ける事でオーガが雪の層に食い込んだ時、生じる雪切り取り器の回転を抑える為に並列に設けたもので有る。
【０１８５】
オーガを回転させて雪に食い込みする事で雪切り取り器が前進できる。
【０１８６】
並列に並んだ電動オーガは、家庭電源で使用出来るモーターを使用している。
【０１８７】
本発明の雪切り取り器の標準の大きさは、容易に人が持て操作取り扱いが出来る大きさで、幅約４０センチ高さ約３５センチ奥行き約４０センチ程で重さ約１２〜１３キログラム前後となっている。
【０１８８】
雪切り取り器が小型の為、切り取り器に用いる駆動装置は市場で出回っている小型のもので良い。
【０１８９】
モーター、エンジン等は一般に家庭市場に普及しているドリルモーター、ルター、ベルトサンダー等に用いられているものを使用する。
【０１９０】
駆動用エンジンは、草刈り機、チエンソー等のガソリンエンジンを使用している。
【０１９１】
上記記述した破砕刃を用いた雪切り取り器は、主に軒下から屋根頂上に自主走行をしながら人が雪切り取り器を押し上げる力を軽減し、雪の掘削溝を掘る事の出来るように発明されたものである。
【実施例９】
【０１９２】
実施例９は、屋根に積雪した量が多く、又軒下に堆積した雪が多くあり屋根の雪を軒下に降ろすには、軒下の雪が邪魔になり雪降ろしが出来ない場合での本発明の雪切り取り器の活用作業を述べる。
【０１９３】
積雪した屋根の雪に適度の間隔で、空洞の溝を軒先から屋根頂上に向けて溝を掘る事で雪降ろしをせず屋根の雪をより早く融雪する作業である。
【０１９４】
図28作業状況斜視図であり作業用の足場を設けているが、軒下に堆積した雪が多くこの雪を均し足場としても良い。
【０１９５】
軒下に堆積した雪が軒先まで高く堆積している場合は、堆積した雪頭を平らに均し作業足場として本発明の雪切り取り器を軒先に差し込む。
【０１９６】
本発明の雪切り取り器の上部に鋭利な刃を設けた箱型形状の雪切り取り器で有る。
【０１９７】
雪切り取り器図２７符号１８鋭利な刃を雪入り取器先端上下に設けた物である。
【０１９８】
鋭利な刃を雪切り取り器上下先端に設ける事で、屋根に高く積もっている雪に雪切り取り器が食い込み穴を掘り易くなる。
【０１９９】
軒先から屋根表面に沿って上に向かってハンドルを押し込みながら掘削する作業状況図２８。
【０２００】
雪切り取り器先端の鋭利な刃で雪を切り取られた雪が、切り取り器後部の取り付けしている雪受け取りシートを伝い軒下に滑り落ちる。
【０２０１】
図28のように積もった雪屋根に空洞の溝穴が出来る符号２６。
【０２０２】
軒先屋根表面に切り取り器を屋根に沿って切り取りするが、凍りついて硬く鋭利な刃でも押しても切り取れない為、請求項２の雪の切り取り器の先端切削刃内に発熱部材を内蔵した刃を設けた物の雪取り器を使用する。
【０２０３】
発熱部材を内蔵した刃の詳細は実施例３段落項００８５〜００９２まで記載の
発熱部材内蔵の刃を用いる。
【０２０４】
このように堆積した屋根に空洞の通気穴が出来る事で、屋根の融雪が早く進む。
【０２０５】
屋根全体に適度の間隔で空洞の除雪溝を設ける事で、無駄な除雪費、労力を軽減出来る。
【０２０６】
又、すでに軒下に雪が溜っていて、屋根からのさらに雪降ろしが困難な場合、積雪している屋根自体で融雪を促す為、あえて軒下の堆積した雪を除雪運搬しなくとも屋根の除雪融雪作業が出来る。
【０２０７】
軒下に積もった雪の上で、上記した作業が行う事が出来る為、除雪用の作業足場がなくとも作業が出来る。
【０２０８】
雪切り取り器に継ぎ足しパイプハンドル部材を継ぎ足しながら屋根頂上まで、軒下いながら安全に作業が出来る。
【０２０９】
屋根に登っての雪降ろしと違い屋根軒下での作業の為、安心して作業が出来る。
【０２１０】
発熱材を用いた融雪刃を用いた状況を記載したが、発熱部材と振動部材を併用して作業をしても良い。
【０２１１】
積雪した屋根表面の雪質の層が硬いザラメ雪状の場合は、本発明請求項３記載の振動部材を設けた雪取り器を活用する。
【０２１２】
硬いザラメ雪質でも雪切り取り器刃に震動を加えると刃が食い込み易くなる。
【０２１３】
振動部材、振動装置詳細は、実施例３段落番号００９７〜０１１３に記載されている。
【０２１４】
このように従来雪を切り取りするには暖気、新雪等の時は比較的容易に雪を切り取り出来るが、上記述べたように本発明の雪切り取り器に発熱部材、振動部材、破砕刃を設ける事で簡単に雪を切る事が出来るようになる。
【０２１５】
本発明の雪切り取り器は、引くと雪が切り取り取られるように開発された物であるが、雪降ろしをする屋根が急勾配の為、人が登れない屋根等にもハンドル
向きを変え押し上げて使用できるようにも考え出されたものである。
【０２１６】
このように、雪降ろしの屋根の形、場所等色々な雪降ろしの作業に合わせ、ハ
ンドルの位置を変えるだけで使用する用途が広がる利点もある。
【産業上の利用可能性】
【０２１７】
従来は、足場の悪い屋根でスコップ、スノーダンプ等を用い、雪を掘削し腰をかがめての作業であったが、本発明の雪を切り取り漉き取する除雪方法は、屋根表面から雪を切り取り剥離する事を主とし、切り取り器と雪を受け取り滑らせて投雪するシートを用い、屋根に掘削溝を造る除雪の施工方法で有る。
【０２１８】
単純に切り取り器を引く、押すだけの作業で大きな力を必要とせず雪降ろし作業が大幅に簡素化出来る利点がある。
【０２１９】
又、溝の間隔を置かず漉き取掘削除雪すると屋根全体をも除雪が出来る除雪施工方法である。
【０２２０】
スコップ、スノーダンプ等での掘削雪降ろし作業と異なり、引くだけ押すだけの作業で重労働より解放される。
【０２２１】
軒先から屋根頂上に引くだけ又は、軒先から切り取り器を押し上げるだけの為、従来の雪降ろし作業と異なり雪降ろし作業中に発生する転落事故を防げる。
【図面の簡単な説明】
【０２２２】
【図１】は本発明の雪を切り取り器全体斜視図である。
【図２】は本発明の雪を切り取り器の側面図である。
【図３】は本発明の雪を切り取り器上面斜視図である。
【図４】は本発明の雪を切り取り器側面下部斜視図である。
【図５】は本発明の雪を切り取り器後部に雪を受け取るシート部材を取り付け          した切り取り器側面下部斜視図である。
【図６】は本発明の雪を切り取り器上面斜視図で鋸状の震動刃を設けた図であ        る。
【図７】は本発明の雪を切り取り器後部に雪を受け取るシート部材を取り付け        した切り取り器側面下部斜視図で鋸状の震動刃を設けた図である。
【図８】は屋根に積雪した状況斜視図である。
【図９】は屋根軒先に本発明の雪を切り取り器を差込み漉き取状況作業図であ        る。
【図１０】は屋根軒先に本発明の雪を切り取り器を差込み漉き取状況作業図で          除雪された溝隣に漉き取除雪作業状況斜視図である。
【図１１】は本発明の雪を切り取り器後部に雪を受け取るシート部材を取り付。          けした上面斜視図である。
【図１２】は本発明の雪を切り取り器後部に雪を受け取るシート部材を取り付。          けした上面斜視図である。
【図１３】は本発明の雪を切り取り器後部に雪を受け取るシート部材を取り          付けした上面斜視図である
【図１４】は本発明の雪を切り取り器後部に雪を受け取るシート部材を取り。          付けした上面斜視図である。
【図１５】は本発明の雪を切り取り器後部に雪を受け取るシート部材を取り          付けした上面斜視図である。
【図１６】は本発明の雪を切り取り器後部に雪を受け取るシート部材を取り付。          けした上面斜視図である。
【図１７】は本発明の雪を受け取るシート部材上面斜視図である。
【図１８】は本発明の雪を切り取り器側面下部斜視図で鋸状の震動刃を設けた          図ある。
【図１９】は本発明の雪を切り取り器斜視図で鋸状の震動刃を設けた図ある。
【図２０】は本発明の雪を切り取り器のハンドルを押して使用する側面図であ          る。
【図２１】は本発明の雪を切り取り器のハンドルを押して使用する上面斜視図          である。
【図２２】は本発明の雪を切り取り器のハンドルを押して使用する側面斜視図          である。
【図２３】は、本発明の雪切り取り器を軒先から屋根表面に押し込んでの作業          状況斜視図である。
【図２４】は、本発明の雪切り取り器を軒先から屋根表面に押し込んでの作業          状況斜視図で拡大した図ある。
【図２５】は、本発明の雪切り取り器先端に回転する切削刃を設けた作業状況          斜視図。
【図２６】は、本発明の雪切り取り器先端に回転する切削刃を設けた作業状況          斜視図の部分拡大図。
【図２７】本発明の雪切り取り器の上部、下部先端に発熱材内蔵の鋭利な刃を          設けた全体斜視図である。
【図２８】箱型雪切り取り器作業実施状況図である。
【図２９】は、箱型雪切り取り器内に雪を砕く回転破砕刃と自走の為の雪かき          部材を設けた全体斜視図。
【図３０】は、箱型雪切り取り器内に電動オーガの回転破砕刃を設けた全体斜          視図。
【符号の説明】
【０２２３】
１  ハンドル  
２  雪の切り取り器    
３  角度調整板    
４  角度調整固定蝶ボルト
５  雪を切り取る刃      
６  発熱体内蔵の刃  
７  振動切削刃  
８震動波発生装置
９  着脱部材                  
１０  雪を受け取るシート    
１１  滑り止め部材  
１２  鋸状の震動刃            
１３  屋根に積もった雪  
１４  切り取られた雪魂  
１５切り取られ除雪された溝  
１６  屋根  
１７雪の切り取り器へ取り付けする脱着部材    
１８  鋭利な刃
１９  積もった雪
２０  雪の層
２１  除雪作業を行う為の足場
２２  回転する切削刃
２３  継ぎ足し出来る伸縮するハンドル
２４  箱型雪切り取り器
２５  開口部
２６  切り取られ掘削され空洞となった溝
２７  雪を砕く回転破砕刃
２８  自走の為の雪かき部材
２９  電動オーガ
【図１】
2015178704.tif 000003
【図２】
2015178704.tif 000004
【図３】
2015178704.tif 000005
【図４】
2015178704.tif 000006
【図５】
2015178704.tif 000007
【図６】
2015178704.tif 000008
【図７】
2015178704.tif 000009
【図８】
2015178704.tif 000010
【図９】
2015178704.tif 000011
【図１０】
2015178704.tif 000012
【図１１】
2015178704.tif 000013
【図１２】
2015178704.tif 000014
【図１３】
2015178704.tif 000015
【図１４】
2015178704.tif 000016
【図１５】
2015178704.tif 000017
【図１６】
2015178704.tif 000018
【図１７】
2015178704.tif 000019
【図１８】
2015178704.tif 000020
【図１９】
2015178704.tif 000021
【図２０】
2015178704.tif 000022
【図２１】
2015178704.tif 000023
【図２２】
2015178704.tif 000024
【図２３】
2015178704.tif 000025
【図２４】
2015178704.tif 000026
【図２５】
2015178704.tif 000027
【図２６】
2015178704.tif 000028
【図２７】
2015178704.tif 000029
【図２８】
2015178704.tif 000030
【図２９】
2015178704.tif 000031
【図３０】
2015178704.tif 000032